(57)【特許請求の範囲】
【請求項１】
規定部と、規定部に対して相対的に接離自在となる挟持部を備え、挟持部を平面視で左右方向の中央部が背方に突出するように湾曲した形状とすると共に、該挟持部を、規定部との間で睫毛を挟み込む弾性体と、弾性体を保持する筐体で構成し、該筐体は弾性体の前面を覆う前板を備え、前記湾曲した挟持部をまぶたに密着させ、睫毛の根元から中間部までの部分の上側に規定部を配置し、操作ハンドルで挟持部を上方に移動して、規定部の下側と挟持部の弾性体とで睫毛の根元から中間部までの部分を挟み込む睫毛成形具において、前記筐体のまぶた側に位置する前板から上向きに突出し且つ挟持部と規定部とで睫毛を挟み込んだ際に規定部の前面よりも前方に位置する櫛状の突出部を設けて成ることを特徴とする睫毛成形具。
【請求項２】
櫛状の突出部は複数の突起を有し、睫毛成形具を使用の際平面視において使用者の眼球の中心を中心とする仮想円の周方向における等角度毎に櫛状の突出部の突起が位置するように櫛状の突出部に突起を配設したことを特徴とする請求項１に記載の睫毛成形具。
【請求項３】
櫛状の突出部は複数の突起を有し、睫毛成形具を使用の際に平面視において使用者の眼球の中心を中心とする仮想円上に櫛状の突出部の突起が位置するように櫛状の突出部に突起を配設し、且つ平面視で突起が前後方向を向くように形成したことを特徴とする上記請求項１又は請求項２に記載の睫毛成形具。
【請求項４】
挟持部に加熱部を内装したことを特徴とする請求項１〜３のいずれかに記載の睫毛成形具。
【請求項５】
規定部に加熱部を内装したことを特徴とする請求項１〜４のいずれかに記載の睫毛成形具。
【発明の詳細な説明】
【０００１】
【発明の属する技術分野】
本発明は、睫毛を癖付けするための睫毛成形具に関するものである。
【０００２】
【従来の技術】
従来から、目元や目尻を美しく見せるために睫毛を癖付けするための睫毛成形具が知られている。この従来の睫毛成形具は睫毛の一方を保持する規定部を設け、規定部に対して相対的に接離自在に設けられて規定部との間で睫毛を挟み込む挟持部を設け、睫毛を規定部と挟持部で挟み込んだ状態で睫毛の突出した毛先側の部分を規定部側へ押付ける副挟持部を設け、挟持部と副挟持部とを移動せしめる操作ハンドルを設けている。
【０００３】
上記従来の睫毛成形具にて睫毛を癖付けする場合は、使用者は規定部にて睫毛を保持し、操作ハンドルを操作して挟持部を移動し、規定部と挟持部とで睫毛を挟み込み、さらに操作ハンドルを操作して副挟持部を移動して睫毛の毛先側の部分を規定部と副挟持部とで挟み込むことで睫毛全体を癖付けする。
【０００４】
ところで、上記のような睫毛の癖付けはそれぞれの睫毛同士がくっついたものを癖付けするよりも睫毛を複数の毛束に分けて癖付けしたほうが目元や目尻を美しく見せることができる。しかしながら上記従来の睫毛成形具では自然に生えた状態でしか睫毛を挟み込むことができないため、事前に睫毛を櫛等で複数の毛束に分けるように梳いてから睫毛の癖付けを行わなければならなかった。また櫛等で梳いても睫毛成形具で睫毛を挟み込む際には睫毛に力がかかってしまい、せっかく櫛等で複数の毛側に分けた睫毛がくっついて癖付けされてしまうという問題があった。
【０００５】
【発明が解決しようとする課題】
本発明は上記の点に鑑みてなされたものであり、その目的とするところは、使用者の容易な操作によって睫毛を複数の毛束に分けて癖付けをすることができる睫毛成形具を提供することを課題とするものである。
【０００６】
【課題を解決するための手段】
上記課題を解決するために本発明に係る睫毛成形具は、規定部２と、規定部２に対して相対的に接離自在となる挟持部３を備え、挟持部３を平面視で左右方向の中央部が背方に突出するように湾曲した形状とすると共に、該挟持部３を、規定部２との間で睫毛１を挟み込む弾性体６と、弾性体６を保持する筐体７で構成し、該筐体７は弾性体６の前面を覆う前板１７を備え、前記湾曲した挟持部３をまぶたに密着させ、睫毛１の根元から中間部までの部分の上側に規定部２を配置し、操作ハンドル４で挟持部３を上方に移動して、規定部２の下側と挟持部３の弾性体６とで睫毛１の根元から中間部までの部分を挟み込む睫毛成形具において、前記筐体７のまぶた側に位置する前板１７から上向きに突出し且つ挟持部３と規定部２とで睫毛１を挟み込んだ際に規定部２の前面よりも前方に位置する櫛状の突出部５を設けて成ることを特徴とするものである。
【０００７】
上記構成のように挟持部３に櫛状の突出部５を設けることで、癖付けするために挟持部３を規定部２に近づけた際に挟持部３に設けられた櫛状の突出部５がくっついた睫毛１を複数の毛束に分けるように梳くことができ、また複数の毛束に分けられた睫毛１を挟持部３と規定部２とで挟み込んで癖付けすることができる。
【０００８】
また、挟持部３の筐体７に櫛状の突出部５を設けることで、筐体７に規定部２と挟持部３とで睫毛１を挟み込んだ際に生じる弾性体６の変形が伝わり難くなり、櫛状の突出部５の突出する向きが変化せず、睫毛１を複数の毛束に分かれた状態に維持しながら挟み込んで癖付けすることができる。
【０００９】
また、筐体７のまぶた側に櫛状の突出部５を設けることで、櫛状の突出部５により睫毛１の根元側の部分を複数の毛束に分けることができる。
【００１２】
また、請求項２記載の睫毛成形具は、請求項１に記載の睫毛成形具において、櫛状の突出部５は複数の突起１２を有し、睫毛成形具を使用の際平面視において使用者の眼球２６の中心３５を中心とする仮想円の周方向における等角度毎に突起１２が位置するように櫛状の突出部５に突起１２を配設したことを特徴とするものである。
【００１３】
上記のように突起１２を配置することで、眼球２６の中心から見て突起１２が等間隔を隔てて設けられているため、放射状の睫毛１を均等に複数の毛束に分けることができる。
【００１４】
また、請求項３記載の睫毛成形具は、請求項１又は請求項２に記載の睫毛成形具において、櫛状の突出部５は複数の突起１２を有し、睫毛成形具を使用の際に平面視において使用者の眼球２６の中心を中心とする仮想円上に櫛状の突出部５の突起１２が位置するように櫛状の突出部５に突起１２を配設し、且つ平面視で突起１２が前後方向を向くように形成したことを特徴とするものである。
【００１５】
上記のように突起１２を前後方向と平行に設けることで、左右方向における筐体７の中心に設けられた櫛状の突出部５の前後方向の長さは筐体の左右方向において中心から離れるにつれて長くなるので、筐体７の左右方向において中心から離れるにつれてより長い突起１２で睫毛１を梳くことができ、目尻の睫毛１を強調してばらけさせることができる。
【００１６】
また、請求項４記載の睫毛成形具は請求項１〜３のいずれかに記載の睫毛成形具において、挟持部３に加熱部１３を内装したことを特徴とする。
【００１７】
上記のように挟持部３に加熱部１３を内装することで、睫毛１を高温に加熱された挟持部３で規定部２との間の睫毛１を挟み込んで癖付けすることができる。
【００１８】
また、請求項５記載の睫毛成形具は請求項１〜４のいずれかに記載の睫毛成形具において、規定部２に加熱部１３を内装したことを特徴とするものである。
【００１９】
上記のように規定部２に加熱部を内装することで、睫毛１を高温に加熱された規定部２で挟持部３との間の睫毛１を挟み込んで癖付けすることができる。
【００２０】
【発明の実施の形態】
以下、本発明を添付図面に示す実施の形態に基づいて説明する。但し、説明中に用いる左右方向及び上下方向は、図１（ａ）に示すような癖付け時に使用者側から見た場合を基準とする。
【００２１】
まず、図１及び図２に示す本発明の実施の形態における一例の睫毛成形具について説明する。図１には、上記睫毛成形具の全体を示している。一例の睫毛成形具は成形具本体に、睫毛１の一方を保持する規定部２と、規定部２に対して相対的に離接を行って睫毛１の根元から中間部にかけてを規定部２との間で挟み込む挟持部３と、睫毛１の中間部から毛先にかけてを規定部２との間で挟み込む為の副挟持部９と、上記した挟持部３、副挟持部９を動作させる為の操作ハンドル４とを設けて構成している。操作ハンドル４は成形具本体１４の正面側に上下スライド自在に設けている。また、成形具本体１４の下部には上下に細長く形成した電池カバー１５を接続させている。
【００２２】
成形具本体１４の正面側の上部両側には支柱部１６を上方に向けて突設しており、両支柱部１６、１６間に規定部２を架設しているので、成形具本体１４の上部と両支柱部１６，１６と規定部２とに囲まれた部分が窓部２５を形成している。規定部２は眼球２６の曲率とほぼ同じに湾曲させており、正面視で中央部が上方に湾曲するとともに平面視で中央部が背方に湾曲した形状をしている。
【００２３】
成形具本体１４の上部には、挟持部３の弾性体６を保持する筐体７を設けている。弾性体６の前面と後面と両側面とは夫々上下方向において中心付近から下端部まで筐体７の前板１７と後板１８と左右両側板とで覆われており、弾性体６の下面は筐体７の底板１９で覆われている。上記筐体７と弾性体６とで挟持部３は構成されている。挟持部３の筐体７の前板１７の下端部は後述する移動片２０の上端部に接続されている。また上記とは別に副挟持部９の弾性体１０を保持する筐体１１を設けている。副挟持部９の弾性体１０の上面と下面と両側面とは夫々前後方向において中心付近から後端部まで筐体１１の天板２１と底板２２と両側板とで覆われており、弾性体１０の後面は筐体１１の後板２３で覆われている。上記弾性体１０と筐体１１とで副挟持部９は構成されている。副挟持部９の下端部は後述するスライドノブ２４の上端部に接続されている。上記移動片２０およびスライドノブ２４は上下動自在である。挟持部３及び副挟持部９は夫々成形具本体１４の上端部の開口から窓部２５内に突出しており、移動片２０やスライドノブ２４を上方に移動させることで挟持部３や副挟持部９が夫々規定部２に向けて窓部２５内を上昇して規定部２に押し当てられるようになっている。ここで、副挟持部９は挟持部３よりも背方（図１（ｂ）において右側）にずれて位置させている。
【００２４】
挟持部３の筐体７及び弾性体６は規定部２に合わせて眼球２６の曲率とほぼ同じに湾曲させている。つまり、正面視で中央部が上方に湾曲し且つ平面視で中央部が背方に湾曲した形状をしているので、まぶたに密着させた時に前述のように湾曲した規定部２が睫毛１の上側に位置するとともに、この規定部２の下側と挟持部３の弾性体６とで睫毛１の根元から中間部にかけてを挟み込むようにしている。また、副挟持部９の筐体１１及び弾性体１０も規定部２に合わせて湾曲させており、同様に正面視で中央部が上方に湾曲し且つ平面視で中央部が背方に湾曲した形状をしているので、規定部２の背面側と副挟持部９の弾性体１０とで睫毛１の中間部から毛先にかけての毛先側の部分を挟み込むようになっている。
【００２５】
図３に示すように、挟持部３の弾性体１０には横方向に連続する断面Ｖ字状の溝２７を形成しており、規定部２の下側には該溝２７が嵌まり込む凸部２８を形成している。これにより睫毛１の根元から中間部にかけてを挟持部３の溝２７と規定部２の凸部２８とで挟持することで睫毛１の根元から中間部にかけてを癖付けするようになっている。ここで、断面Ｖ字状をした溝２７の溝底部分は鋭角ではなくて丸みを持たせており、溝２７に沿って睫毛１を癖付けする際に鋭角ではなく湾曲形状に癖付けさせることができる。副挟持部９の弾性体１０にも同様に断面Ｖ字状の溝２９を形成しており、規定部２の背面側は該溝２９が嵌まり込む凸部３０となっている。これにより睫毛１の中間部から毛先にかけてを副挟持部９の溝２７と規定部２の凸部３０とで挟持することで睫毛１の中間部から毛先にかけてを癖付けするようになっている。なお、この溝２９の溝底部分も鋭角でなく丸みを持たせてもよい。
【００２６】
ここで、規定部２を金属やプラスチック材料等の剛性を有する材料で形成すると共に、挟持部３及び副挟持部９に弾性体６、１０を設けることで、睫毛１の規定部２への押圧を高めて睫毛１の癖付けをより容易に行うことが可能となっている。
【００２７】
挟持部３の弾性体６内部には図３に示すようにニクロム線をコイル状に巻いたヒータ等の加熱部１３を内蔵している。また、副挟持部９の弾性体１０にもニクロム線をコイル状に巻いたヒータ等の加熱部１３を内蔵している。上記した両加熱部１３、１３は成形具本体１４内に内蔵した乾電池３６に接続させており、加熱により容易に且つ確実に睫毛１の癖付けができ、また癖付けした状態を長い期間保つことができる。また規定部２にニクロム線をコイル状に巻いたヒータ等の加熱部１３を内蔵してもよい。この場合も上記挟持部３及び副挟持部９に加熱部１３を設けた場合と同じ効果が得られるものである。さらに規定部２に設けるだけで規定部２と挟持部３に挟み込まれた睫毛１と、規定部２と副挟持部９に挟み込まれた睫毛１を加熱することができる。
【００２８】
次に、睫毛成形具の操作ハンドル４の操作に伴って挟持部３を規定部２と接離させる為の構成について述べる。図２（ｂ）に示すように、成形具本体１４の内部には、スライドノブ２４が内蔵されている。スライドノブ２４に設けた係合部３１には操作ハンドル４に設けた被係合部３２が係合しているので、操作ハンドル４の上下スライドに伴ってスライドノブ２４は上下自在であり、スライドノブ２４の下部と成形具本体１４とは第二ばね３３で連結されている。また、スライドノブ２４は初張力を持った状態の第一ばね３４の上端部に接続されており、第一ばね３４の下端部は移動片２０に接続されている。さらにスライドノブ２４は副挟持部９の筐体１１の下端部にも接続されている。
【００２９】
上記構成の睫毛成形具を使用する場合を次に記す。使用者が操作ハンドル４を上方にスライドさせると、操作ハンドル４と係合するスライドノブ２４が上方に移動することで、第一ばね３４に連結された移動片２０が上方に移動し、移動片２０の上端部に設けられた挟持部３の弾性体６は睫毛１の付け根から中間部を介して規定部２の下側に押当たる。また、前述したようにスライドノブ２４と副挟持部９は接続されているので、上記のように操作ハンドル４を上方に移動させると副挟持部９も上昇する。
【００３０】
ここで、図２に示す初期状態から挟持部３が規定部２側に押当てられて睫毛１の根元から中間部にかけてを挟持するまでの操作ハンドル４の移動範囲では挟持部３と副挟持部９とが協働して上昇する。挟持部３が規定部２側へ押し当てられた後にそれ以上の範囲まで操作ハンドル４を上昇させた場合には、挟持部３が第二ばね３３の張力により規定部２との間で睫毛１の根元から中間部にかけてを挟持した状態のままで、スライドノブ２４は第一ばね３４を引っ張りながら上昇し、スライドノブ２４に接続した副挟持部９が更に上昇する。この為、所定の範囲を超えた領域では副挟持部９のみが移動し、図４に示すように副挟持部９が挟持部３と規定部２とで挟み込まれた部分から更に突出した睫毛１の中間部から毛先にかけての毛先側の部分を、規定部２の背面側に押し付ける。このようにして睫毛１の根元から先端部にかけてを癖付けすることができる。
【００３１】
この場合、前述したように第二ばね３３は初張力を持っており、操作ハンドル４から指を離すと挟持部３と副挟持部９が規定部２から自動的に離れることとなり、使用者にとっては使い勝手が良い。このように、使用者は成形具本体１４を手で掴んで操作ハンドル４を指で押し上げた後、操作ハンドル４から指を離すのみで睫毛１に滑らかな癖付けを行うことができる。
【００３２】
ところで上記のような睫毛１の癖付けは夫々の睫毛１がくっついているよりも複数の毛束に分かれている状態のほうが目元や目尻を美しく見せることができるとされている。しかしながら従来の睫毛成形具では、自然に生えた状態でしか睫毛１を挟み込むことができないため、事前に睫毛１を複数の毛束に分かれるように櫛等で梳いてから睫毛１の癖付けを行わなければならなかった。そこで本発明では睫毛成形具を次のような構成にしている。
【００３３】
規定部２に対して相対的に接離自在に設けられている挟持部３の筐体７に睫毛１に向けて突出する櫛状の突出部５を形成した。本実施例においては図３に示すように挟持部３の筐体７の前板１７の上端部に上向きに突出する櫛状の突出部５を設けている。この櫛状の突出部５の突起１２は筐体７に左右方向において間隔を隔てて複数設けられている。また該櫛状の突出部５は挟持部３の弾性体６の上端よりもやや上方まで伸びており、挟持部３と規定部２とで睫毛１を挟み込んだ際に、櫛状の突出部５が規定部２の前面よりもやや前方にずれたところに位置するように設けられている。
【００３４】
上記のように挟持部３の筐体７に櫛状の突出部５を設けた睫毛成形具を使用する場合は、上述した睫毛成形具の使用方法と同じように規定部２の下側に睫毛１の上側を接した後、操作ハンドル４を上方に移動させると挟持部３は上方に移動し、挟持部３の筐体７に設けられた櫛状の突出部５は睫毛１の下側から睫毛１を複数の毛束に分けながら上方に通りぬけ、睫毛１を梳くことができる。それと同時に挟持部３の弾性体６は睫毛１の付け根から中間部を介して規定部２の下側に当たる。さらに操作ハンドル４を上方に移動させることで、睫毛１は櫛状の突出部５によって複数の毛束に分けられた状態のまま規定部２と弾性体６とに挟み込まれ癖付けされる。このようにして挟持部３の筐体７に櫛状の突出部５を設けた睫毛成形具は、睫毛１を複数の毛束に分けながら規定部２と挟持部３とで癖付けすることができる。また筐体７に櫛状の突出部５を設けたことで、筐体７に規定部２と挟持部３とで挟み込んだ際に生じる弾性体６の変形が伝わり難くなり、櫛状の突出部５の突出する向きが変化せず、挟み込みの際に睫毛１を複数の毛束に分けた状態を維持しながら癖付けすることができる。さらに筐体７の前板１７（まぶた側）に櫛状の突出部５を設けたことで、櫛状の突出部５によって睫毛１の根元側の部分を複数の毛束に分けることができ、放射状に広がっている睫毛１の根元側の部分を複数の毛束に分けることができる。
【００３５】
また、図５、６に示すように挟持部３の弾性体６の上面に上向きに突出する櫛状の突出部５を設けてもよい。本実施形態では図５に示すように櫛状の突出部５は弾性体６の上面全てに設けられている。また櫛状の突出部５の突起１２は弾性体６に左右方向において間隔を隔てて複数設けられている。このように櫛状の突出部５を挟持部３の弾性体６に設けることで、睫毛１を挟み込む部分に近い位置で睫毛１を複数の毛束に分けることができ、挟持部３と規定部２とで挟み込む力により動きやすい状態にある睫毛１を複数の毛束に分けた状態に維持しながら挟み込んで癖付けすることができる。なお、上記では挟持部３の筐体７あるいは弾性体６にのみ櫛状の突出部５を設けたが図７に示すように筐体７と弾性体６との両方に設けても良い。
【００３６】
また上記櫛状の突出部５を図８に示すように規定部２の下側に下方に突出するように設けてもよい。また櫛状の突出部５の突起１２は規定部２に左右方向において間隔を隔てて複数設けている。このように規定部２に櫛状の突出部５を設けることで、睫毛１の挟み込みの前に櫛状の突出部５によって睫毛１を複数の毛束に分けることができるため、挟み込んだ際に櫛状の突出部５と挟持部３とで睫毛１を挟み込んでしまうことがなくなり、より確実に睫毛１を癖付けすることができる。
【００３７】
また上記櫛状の突出部５を図９、１０に示すように副挟持部９の筐体１１に設けてもよい。本実施形態においては副挟持部９の筐体１１の天板２１の前面に前向きに突出する櫛状の突出部５を設けた。また櫛状の突出部５の突起１２は筐体１１に左右方向において間隔を隔てて複数設けられている。この櫛状の突出部５は弾性体１０の前面よりもやや前方に突出しており、副挟持部９と規定部２とで睫毛１を挟み込んだ際には櫛状の突出部５は規定部２の上面よりも上方に位置するように配設されている。このように副挟持部９の筐体１１に櫛状の突出部５を設けることで、規定部２と副挟持部９とで睫毛１の毛先側の部分を挟み込んだ際に生じる弾性体１０の変形が筐体１１に伝わり難くなり、櫛状の突出部５の突出する向きが変化せず、挟み込みの際にも睫毛１の毛先側の部分を複数の毛束に分けた状態に維持しながら癖付けすることができる。
【００３８】
また上記櫛状の突出部５を図１１、１２に示すように副挟持部９の弾性体１０に設けても良い。本実施形態においては弾性体１０の前面全てに前方に突出する櫛状の突出部５を設けた。また櫛状の突出部５の突起１２は弾性体１０に左右方向において間隔を隔てて複数設けられている。このように副挟持部９の弾性体１０に櫛状の突出部５を設けることで、睫毛１の毛先側の部分を挟み込む箇所に近い位置で睫毛１の毛先側の部分を複数の毛束に分けるように梳くことができるため、挟持部３と規定部２とで挟み込む力により動きやすい状態にある睫毛１を複数の毛束に分けた状態に維持することができる。なお上記では副挟持部９の弾性体１０あるいは筐体１１のどちらか一方にのみ櫛状の突出部５を設けた例を示したが、挟持部３に突出部５を設けた場合と同様に副挟持部９の弾性体１０と筐体１１との両方に櫛状の突出部５を設けてもよい。さらに挟持部３と副挟持部９との両方に櫛状の突出部５を設けてもよい。
【００３９】
また、平面視において睫毛成形具を使用の際に使用者の眼球２６の中心３５を中心とする仮想円の周方向における等角度毎に突起１２が位置するように櫛状の突出部５に突起１２を配設してもよい。本実施形態においては櫛状の突出部５は図１３に示すように挟持部３の筐体７に設けられており、平面視において睫毛成形具を使用の際に使用者の眼球２６の中心３５を中心とする仮想円の円周上に突起１２が位置するように櫛状の突出部５に突起１２が設けられており、且つ突起１２が仮想円の周方向において等間隔を隔てて位置するように突起１２は櫛状の突出部５に設けられている。またこの突起１２の上方から見た断面は略楕円形をしており、夫々の突起１２の長軸方向は夫々の突起１２から眼球２６の中心に向かう方向と同一である。このように突起１２を配置することで、放射状に生えているそれぞれの睫毛１とそれぞれの突起１２とが平行になるため、睫毛１を均等に複数の毛束に分けることができる。また本実施形態では櫛状の突出部５を挟持部３の筐体７に設けたが、副挟持部９の筐体１１、挟持部３の弾性体６、副挟持部９の弾性体１０に設けてもよく同様の効果が得られる。
【００４０】
また、櫛状の突出部５は複数の突起１２を有し、睫毛成形具を使用した際に平面視において使用者の眼球２６の中心を中心とする仮想円上に位置するように櫛状の突出部５の突起１２を配設し、且つ平面視で各突起１２が平行になり前後方後に向くように形成してもよい。すなわち図１４に示す本実施形態においては、櫛状の突出部５は挟持部３の筐体７の前板１７上面に設けられており、睫毛成形具を使用した際に突起１２が左右方向において等間隔毎に配置するように櫛状の突出部５に突起１２を配設している。またこの突起１２の上から見た断面は楕円形をしており、全ての突起１２の長軸方向は前後方向と同一で平行である。さらに筐体７の前板１７上面の櫛状の突出部５を設ける部分は図１４に示すように平面視眼球２６の中心３５を中心とする仮想円上にある内側縁３７と、内側縁３７と同心円上にある外側縁３８と両側面とに囲まれており、突起１２は平面視で内側縁３７から外側縁３８に亘って設けられている。このように突起１２を前後方向と平行に設け、内側縁３７から外側縁３８に亘って設けることで、図１４に示すように左右方向における筐体７の中心に設けられた櫛状の突出部５の前後方向の長さＬ１は筐体７の左右方向において中心から離れるにつれて長くなる（つまり筐体７の側部に設けられた突起１２の長さをＬ２とするとＬ２はＬ１よりも長い）。よって筐体７の左右方向において中心から離れるにつれてより長い突起１２で眉毛１を梳くことができ、目尻の睫毛１を強調してばらけさせることができる。
【００４１】
【発明の効果】
上記のように本発明の請求項１記載の発明にあっては、挟持部に櫛状の突出部を設けることで、睫毛の癖付けを行う動作だけで、睫毛を複数の毛束に分けると共に挟持部と規定部とで複数の毛束に分けられた睫毛を挟み込むことができるので、容易に複数の毛束に分けた睫毛を癖付けすることができ、また睫毛を複数の毛束に分けた状態を維持しながら挟み込みを行うことができるために、確実に複数の毛束に分けた状態の睫毛を癖付けすることができ、簡単な方法で目元や目尻をより一層美しく見せることができる。
【００４２】
また、筐体に櫛状の突出部を設けることで、規定部と挟持部とで睫毛を挟み込んだ際に生じる弾性体の変形が筐体に伝わり難くなり、櫛状の突出部の突出する向きが変化しないため、より確実に睫毛を複数の毛束に分かれた状態を維持しながら癖付けすることができる。
【００４３】
また、筐体のまぶた側に櫛状の突出部を設けることで、櫛状の突出部によって放射状に生えている睫毛の根元側の部分を複数の毛束に分けることができるために、より確実に睫毛全体を複数の毛束に分けた状態で癖付けすることができる。
【００４５】
また、請求項２記載の発明にあっては請求項１の発明の効果に加えて、眼球の中心を中心とする仮想円の周方向における等角度毎に櫛状の突出部の突起が位置するように櫛状の突出部に突起を配設することで、眼球の中心から見て突起が等間隔を隔てて設けられているため、放射状の睫毛を均等に複数の毛束に分けることができ、目元や目尻をより美しく見せることができる。
【００４６】
また、請求項３記載の発明にあっては、請求項１又は請求項２の発明の効果に加えて、睫毛成形具を使用した際に平面視において使用者の眼球の中心を中心とする仮想円上に櫛状の突出部の突起が位置するように櫛状の突出部に突起を配設し、且つ上から見て突起が前後方向を向くように形成したことで、目尻の睫毛を強調して癖付けすることができ、目元や目尻をさらにより一層美しく見せることができる。
【００４７】
また、請求項４記載の発明にあっては、請求項１〜３のいずれかの発明の効果に加えて、挟持部に加熱部を内装することで、睫毛を高温に加熱された挟持部で規定部との間の睫毛を挟み込むことができるため、より確実に睫毛を癖付けすることができ、また癖付けした状態を長い期間保つことができる。
【００４８】
また、請求項５記載の発明にあっては、請求項１〜４のいずれかの発明の効果に加えて、規定部に加熱部を内装することで、睫毛を高温に加熱された規定部で規定部と挟持部との間の睫毛を挟み込むことができるようになり、より確実に睫毛を癖付けすることができ、また癖付けした状態を長い期間保つことができる。
【図面の簡単な説明】
【図１】  本発明の一実施形態を示し、操作ハンドルが初期状態にある場合を示しており、（ａ）は正面図、（ｂ）は側面図、（ｃ）は図１のＡ−Ａ線断面図である。
【図２】  同上の上部拡大図を示しており、（ａ）は正面図、（ｂ）は側断面図である。
【図３】  同上の睫毛を挟み込んだ状態の説明図である。
【図４】  同上の睫毛成形具の操作ハンドルが最大に上昇させた場合を示しており、（ａ）は正面図、（ｂ）は側断面図である。
【図５】  本発明の睫毛成形具の挟持部の弾性体に櫛状の突出部を設けた説明図である。
【図６】  本発明の睫毛成形具の挟持部の弾性体に櫛状の突出部を設けた正面視拡大図である。
【図７】  本発明の睫毛成形具の副挟持部の筐体に櫛状の突出部を設けた説明図である。
【図８】  本発明の睫毛成形具の規定部に櫛状の突出部を設けた正面視拡大図である。
【図９】  本発明の睫毛成形具の副挟持部の筐体に櫛状の突出部を設けた断面図ある。
【図１０】  副挟持部の筐体に櫛状の突出部を設けた睫毛成形具にて睫毛を挟み込んだ状態の説明図である。
【図１１】  本発明の睫毛成形具の副挟持部の弾性体に櫛状の突出部を設けた断面図である。
【図１２】  副挟持部の弾性体に櫛状の突出部を設けた睫毛成形具にて睫毛を挟み込んだ状態の説明図である。
【図１３】  図５の突起の配置を変えた他の実施形態を示す断面図である。
【図１４】  同上の突起の配置を変えた別の実施形態を示す断面図である。
【符号の説明】
１  睫毛
２  規定部
３  挟持部
４  操作ハンドル
５  櫛状の突出部
６  挟持部の弾性体
７  挟持部の筐体
９  副挟持部
１０  副挟持部の弾性体
１１  副挟持部の筐体
１２  突起
１３  加熱部
２６  眼球
３５  眼球の中心
【図１】
0004075356.tif 000002
【図２】
0004075356.tif 000003
【図３】
0004075356.tif 000004
【図４】
0004075356.tif 000005
【図５】
0004075356.tif 000006
【図６】
0004075356.tif 000007
【図７】
0004075356.tif 000008
【図８】
0004075356.tif 000009
【図９】
0004075356.tif 000010
【図１０】
0004075356.tif 000011
【図１１】
0004075356.tif 000012
【図１２】
0004075356.tif 000013
【図１３】
0004075356.tif 000014
【図１４】
0004075356.tif 000015